(57)【要約】【課題】携帯端末の現在位置が、予め蓄積された地域地図情報の範囲に無くても、利用者が現在位置をおよそ知ることができる簡易なナビゲーション機能を有する携帯端末及びプログラムを提供する。【解決手段】地図をディスプレイに表示する携帯端末であって、地域地図情報を予め記憶するメモリ手段と、当該携帯端末の現在位置を測位する測位手段と、現在位置が、地域地図情報の領域内又は領域外を判定する領域判定手段と、地域地図情報の目的位置から見た現在位置の方位を検出する方位検出手段と、現在位置は地域地図情報の領域外にあると判定された際、目的位置を含む地域地図情報をディスプレイに表示すると共に、現在位置の方位を表示する表示制御手段とを有する。方位検出手段は、地域地図情報における目的位置と現在位置との間の距離を更に検出し、表示制御手段は、距離を更に表示する。【選択図】図２
2008281941.tif 000002
【特許請求の範囲】
【請求項１】
地図をディスプレイに表示する携帯端末であって、
地域地図情報を予め記憶するメモリ手段と、
当該携帯端末の現在位置を測位する測位手段と、
前記現在位置が、前記地域地図情報の領域内又は領域外を判定する領域判定手段と、
前記地域地図情報の目的位置から見た前記現在位置の方位を検出する方位検出手段と、
前記現在位置は前記地域地図情報の領域外にあると判定された際、前記目的位置を含む地域地図情報をディスプレイに表示すると共に、前記現在位置の方位を表示する表示制御手段と
を有することを特徴とする携帯端末。
【請求項２】
前記方位検出手段は、前記地域地図情報における前記目的位置と前記現在位置との間の距離を更に検出し、
前記表示制御手段は、前記距離を更に表示する
ことを特徴とする請求項１に記載の携帯端末。
【請求項３】
前記目的位置は、利用者によって指定された位置、又は、前記地域地図情報の中心であることを特徴とする請求項１又は２に記載の携帯端末。
【請求項４】
前記目的位置は、前記地域地図情報の領域内であって且つ前記現在位置に最も近い位置であることを特徴とする請求項１又は２に記載の携帯端末。
【請求項５】
前記目的位置は、前記地域地図情報の領域内であって且つ前記現在位置が前記地域地図情報の領域内に最後に含まれていた時点における位置であることを特徴とする請求項１又は２に記載の携帯端末。
【請求項６】
前記領域判定手段によって前記現在位置が前記地図情報の領域内にあると判定された際、
前記表示制御手段は、前記目的位置を含む地域地図情報に前記現在位置が含まれていない場合、前記現在位置を含む地域地図情報を表示するように切り替えることができることを特徴とする請求項１から５のいずれか１項に記載の携帯端末。
【請求項７】
地図をディスプレイに表示する携帯端末に搭載されたコンピュータを機能させるプログラムであって、前記携帯端末は、地域地図情報を予め記憶するメモリ部と、当該携帯端末の現在位置を測位する測位部とを有しており、
前記現在位置が、前記地域地図情報の領域内又は領域外を判定する領域判定手段と、
前記地域地図情報の目的位置から見た前記現在位置の方位を検出する方位検出手段と、
前記現在位置は前記地域地図情報の領域外にあると判定された際、前記目的位置を含む地域地図情報をディスプレイに表示すると共に、前記現在位置の方位を表示する表示制御手段と
してコンピュータを機能させることを特徴とする携帯端末用のプログラム。
【請求項８】
前記方位検出手段は、前記地域地図情報における前記目的位置と前記現在位置との間の距離を更に検出し、
前記表示制御手段は、前記距離を更に表示する
ようにコンピュータを機能させることを特徴とする請求項７に記載の携帯端末用のプログラム。
【請求項９】
前記目的位置は、利用者によって指定された位置、又は、前記地域地図情報の中心であるようにコンピュータを機能させることを特徴とする請求項７又は８に記載の携帯端末用のプログラム。
【請求項１０】
前記目的位置は、前記地域地図情報の領域内であって且つ前記現在位置に最も近い位置であるようにコンピュータを機能させることを特徴とする請求項７又は８に記載の携帯端末用のプログラム。
【請求項１１】
前記目的位置は、前記地域地図情報の領域内であって且つ前記現在位置が前記地域地図情報の領域内に最後に含まれていた時点における位置であるようにコンピュータを機能させることを特徴とする請求項７又は８に記載の携帯端末用のプログラム。
【請求項１２】
前記領域判定手段によって前記現在位置が前記地図情報の領域内にあると判定された際、
前記表示制御手段は、前記目的位置を含む地域地図情報に前記現在位置が含まれていない場合、前記現在位置を含む地域地図情報を表示するように切り替えることができるようにコンピュータを機能させることを特徴とする請求項７から１１のいずれか１項に記載の携帯端末用のプログラム。
【発明の詳細な説明】
【技術分野】
【０００１】
本発明は、ディスプレイを搭載した携帯端末及びそのプログラムに関する。特に、現在位置に基づく地図をそのディスプレイに表示することができる携帯端末等に関する。
【背景技術】
【０００２】
従来、例えば携帯電話機のような携帯端末に、現在位置に基づく地図を表示するサービスが提供されている。携帯端末は、ＧＰＳ(Global Positioning System)のような測位機能を用いて、現在位置を測位する。そして、携帯端末は、測位した現在位置情報（例えば緯度経度）を、無線ネットワークを介してサーバへ送信する。これに対し、サーバは、その現在位置情報に基づく地図情報を、携帯端末へ送信する。携帯端末は、そのディスプレイに、現在位置に基づく地図情報を表示する。
【０００３】
また、携帯端末が、地図情報を予め蓄積しておき、現在位置に基づく地図をディスプレイに表示させる技術もある（例えば特許文献１参照）。この技術によれば、携帯端末が、目的位置に近づいた際に、予め蓄積した地図情報にその現在位置が含まれる場合に、その周辺の地図を表示する。予め蓄積している地図情報とは、例えば、携帯端末を所持する利用者が訪れる場所の地図情報である。
【０００４】
【特許文献１】特開２００６−０１０４４１号公報
【非特許文献１】国土数値情報、「メッシュデータについて」、[online]、[平成１９年４月２日検索]、インターネット＜ＵＲＬ：http://nlftp.mlit.go.jp/ksj/mesh.html＞
【発明の開示】
【発明が解決しようとする課題】
【０００５】
例えばカーナビゲーションのような端末は、その端末が移動可能な全ての位置に基づく地図情報を予め蓄積しておくことができる。しかしながら、携帯電話機のような携帯端末は、メモリの制約上、予め蓄積することができる地図情報も制限される。即ち、携帯端末は、その端末が移動可能な全ての位置に基づく地図情報を予め蓄積しておくことが難しい。
【０００６】
特許文献１のような技術によれば、携帯端末が目的位置に近づいた際に、その地図を表示することができる。しかしながら、その目的位置に近づくまでは、現在位置が、どの辺りにあるかを知ることはできない。
【０００７】
従って、本発明は、携帯端末の現在位置が、予め蓄積された地域地図情報の範囲に無くても、利用者が現在位置をおよそ知ることができる簡易なナビゲーション機能を有する携帯端末及びプログラムを提供することを目的とする。
【課題を解決するための手段】
【０００８】
本発明によれば、地図をディスプレイに表示する携帯端末であって、
地域地図情報を予め記憶するメモリ手段と、
当該携帯端末の現在位置を測位する測位手段と、
現在位置が、地域地図情報の領域内又は領域外を判定する領域判定手段と、
地域地図情報の目的位置から見た現在位置の方位を検出する方位検出手段と、
現在位置は地域地図情報の領域外にあると判定された際、目的位置を含む地域地図情報をディスプレイに表示すると共に、現在位置の方位を表示する表示制御手段と
を有することを特徴とする。
【０００９】
本発明の携帯端末における他の実施形態によれば、方位検出手段は、地域地図情報における目的位置と現在位置との間の距離を更に検出し、表示制御手段は、距離を更に表示することも好ましい。
【００１０】
本発明の携帯端末における他の実施形態によれば、目的位置は、利用者によって指定された位置、又は、地域地図情報の中心であることも好ましい。
【００１１】
本発明の携帯端末における他の実施形態によれば、目的位置は、地域地図情報の領域内であって且つ現在位置に最も近い位置であることも好ましい。
【００１２】
本発明の携帯端末における他の実施形態によれば、目的位置は、地域地図情報の領域内であって且つ現在位置が地域地図情報の領域内に最後に含まれていた時点における位置であることも好ましい。
【００１３】
本発明の携帯端末における他の実施形態によれば、領域判定手段によって現在位置が地図情報の領域内にあると判定された際、表示制御手段は、目的位置を含む地域地図情報に現在位置が含まれていない場合、現在位置を含む地域地図情報を表示するように切り替えることができることも好ましい。
【００１４】
本発明によれば、地図をディスプレイに表示する携帯端末に搭載されたコンピュータを機能させるプログラムであって、携帯端末は、地域地図情報を予め記憶するメモリ部と、当該携帯端末の現在位置を測位する測位部とを有しており、
現在位置が、地域地図情報の領域内又は領域外を判定する領域判定手段と、
地域地図情報の目的位置から見た現在位置の方位を検出する方位検出手段と、
現在位置は地域地図情報の領域外にあると判定された際、目的位置を含む地域地図情報をディスプレイに表示すると共に、現在位置の方位を表示する表示制御手段と
してコンピュータを機能させることを特徴とする。
【００１５】
本発明の携帯端末用のプログラムにおける他の実施形態によれば、方位検出手段は、地域地図情報における目的位置と現在位置との間の距離を更に検出し、表示制御手段は、距離を更に表示するようにコンピュータを機能させることも好ましい。
【００１６】
本発明の携帯端末用のプログラムにおける他の実施形態によれば、目的位置は、利用者によって指定された位置、又は、地域地図情報の中心であるようにコンピュータを機能させることも好ましい。
【００１７】
本発明の携帯端末用のプログラムにおける他の実施形態によれば、目的位置は、地域地図情報の領域内であって且つ現在位置に最も近い位置であるようにコンピュータを機能させることも好ましい。
【００１８】
本発明の携帯端末用のプログラムにおける他の実施形態によれば、目的位置は、地域地図情報の領域内であって且つ現在位置が地域地図情報の領域内に最後に含まれていた時点における位置であるようにコンピュータを機能させることも好ましい。
【００１９】
本発明の携帯端末用のプログラムにおける他の実施形態によれば、領域判定手段によって現在位置が地図情報の領域内にあると判定された際、表示制御手段は、目的位置を含む地域地図情報に現在位置が含まれていない場合、現在位置を含む地域地図情報を表示するように切り替えることができるようにコンピュータを機能させることも好ましい。
【発明の効果】
【００２０】
本発明の携帯端末及びプログラムによれば、携帯端末の現在位置が、予め蓄積された地域地図情報の範囲に無くても、利用者は、予め蓄積された地域地図情報から見て現在位置の方位（更に距離）をおよそ知ることができ、簡易なナビゲーション機能が提供される。
【発明を実施するための最良の形態】
【００２１】
以下では、図面を用いて、本発明を実施するための最良の形態について詳細に説明する。
【００２２】
図１は、分割地図画像である。
【００２３】
図１によれば、非特許文献１によって規定された分割地図画像のメッシュコードが表されている。メッシュコードは、１次、２次及び３次に分けられている。１次メッシュコードは、緯度差１度、経度差４０分で区分された約８０ｋｍ×８０ｋｍの分割地図画像に対して付与される。また、２次メッシュコードは、１次メッシュコードの分割地図画像を更に８×８に分割したものであって、約１０ｋｍ×１０ｋｍの分割地図画像に対して付与される。更に、３次メッシュコードは、２次メッシュコードの分割地図画像を更に１０×１０に分割したものであって、約１ｋｍ×１ｋｍの分割地図画像に対して付与される。図１によれば、１ｋｍ四方の分割地図画像毎に、１次＋２次＋３次のメッシュコードからなる分割地図画像識別子（svgファイル名）が付与されている。
【００２４】
図１によれば、地図データの分割地図画像におけるsvgファイル名は、"aaaabbcc.svg"の形式で表されている。"aaaa"は、区画の１次メッシュコードを表し、"bb"は、区画の２次メッシュコードを表し、"cc"は、区画の３次メッシュコードを表す。例えば、図１の「53394525.svg」は、１次メッシュコード「５３３９」、２次メッシュコード「４５」及び３次メッシュコード「２５」の分割地図画像を表す。
【００２５】
日本付近では、緯度１度あたり約１２０ｋｍ、経度１度あたり約８０ｋｍである。図１によれば、左下端は、緯度経度座標（北緯３５．３３３３３度、東経１３９．０００００度）で表され、右上端は、緯度経度座標（北緯３６．０００００度、東経１４０．０００００度）で表されている。
【００２６】
具体的に、北緯３５．６９００１度、東経１３９．６９１２６度を含む領域を表示する分割地図画像識別子の選定を説明する。
【００２７】
北緯３５．６９００１度＝度分秒表記：北緯３５度４１分２４．０３６秒
東経１３９．６９１２６度＝度分秒表記：東経１３９度４１分２８．５３６秒
【００２８】
１次メッシュコードは、緯度（３５度４１分２４．０３６秒）を１．５倍し（５３度３２分６．０５４秒）、「度」の部分（５３）を取り出す。次に、経度（１３９度４１分２８．５３６秒）から「度」の部分（１３９）を取り出して１００を引く（３９）。これら桁を合わせると、１次メッシュコードは「５３３９」となる。
【００２９】
２次メッシュコードは、１．５倍した緯度（５３度３２分６．０５４秒）の「分」以下の部分（３２分６．０５４秒）を取り出し、秒単位に変換（１９２６．０５４秒）した後、４５０で割った商（４）を取り出す。次に、経度（１３９度４１分２８．５３６秒）から「分」以下の部分（４１分２８．５３６秒）を取り出し、秒単位に変換（２４８８．５３６秒）した後、４５０で割った商（５）を取り出す。これら桁を合わせると、２次メッシュコードは「４５」となる。１次メッシュコード「５３３９」＋２次メッシュコード「４５」より、分割地図画像ファイル名は「533945.svg」となる。
【００３０】
３次メッシュコードは、１．５倍した緯度（５３度３２分６．０５４秒）の「分」以下の部分（３２分６．０５４秒）を取り出し、秒単位に変換（１９２６．０５４秒）した後、４５０で割った余り（１２６．０５４秒）を取り出し、４５で割った商（２）を取り出す。次に、経度（１３９度４１分２８．５３６秒）から「分」以下の部分（４１分２８．５３６秒）を取り出し、秒単位に変換（２４８８．５３６秒）した後、４５０で割った余り（２３８．５３６秒）を取り出し、４５で割った商（５）を取り出す。これら桁を合わせると、３次メッシュコードは「２５」となる。１次メッシュコード「５３３９」＋２次メッシュコード「４５」＋３次メッシュコード「２５」より、分割地図画像ファイル名は「53394525.svg」となる。
【００３１】
図１には、地図画像のインデックスの例も表されている。地図の領域は、（０，０）を原点として高さ２００幅２００である。<image 〜>の部分で、必要な区画の地図データファイルを参照する。ＳＶＧ画像座標と緯度経度の対応付けは、ＣＲＳパラメータに基づく。図１によれば、ＣＲＳパラメータは、順に24000, 0, 0, -16000, -2235000, 856800となる。これにより、x=0が東経139.6875度、x=200が東経139.7125度、y=0が北緯35.7度、y=200が北緯35.683333度に対応する。
【００３２】
前述では、非特許文献１のメッシュコードによって説明したが、勿論、ファイルの命名規則をメッシュコードとは関係なしに、例えば、その区画の中心の緯度経度の値を組み合わせたものや、辞書を用いて一意に定まるものであってもよい。例えば、中心が、北緯35.69及び東経139.69であるとき、それぞれ１００倍した3569と13969を組み合わせて、3569-1369.svgとするものであってもよい。また、例えば、予め全ての区画に通し番号を振っておき、各区画に含まれる緯度経度との間の辞書を作成するものであってもよい。
【００３３】
図１によれば、携帯端末は、斜線部分の地図（55394525.svg, 55394535.svg, 55394526.svg, 55394536.svg）を予め蓄積しているとする。このような地図を、以下では、地域地図情報という。地域地図情報とは、例えば、駅周辺におけるガイドマップのように、その範囲においては極めて特有な情報を含むものの、その範囲は極めて限定されている地図情報をいう。
【００３４】
図２は、予め蓄積された地域地図情報に対する現在位置を表す第１の表示地図である。
【００３５】
図２によれば、現在位置は、予め蓄積した地域地図情報の範囲に存在せず、その地域地図から見て、東北東の位置に存在する。この場合、本発明に基づく携帯端末は、予め蓄積した地域地図における目的位置を中心とする地域地図を、ディスプレイに表示する。更に、その目的位置から見て、現在位置の方向と、現在位置までの距離と、現在位置が地図の領域外であることを表す情報と表示する。目的位置とは、利用者によって指定された位置、又は、地域地図情報の中心である。
【００３６】
現在位置の方向と、目的位置から現在位置までの距離とは、現在位置の緯度経度と、目的位置の緯度経度とから算出される。現在位置の方位は、例えば矢印で表される。また、現在位置までの距離は、ｋｍで表されている。
【００３７】
一般的に、地図情報を表示する場合、現在位置から目的位置へ向かって地図を表示するのに対し、本発明の特徴は、目的位置から現在位置に向かって地図を表示しようとしていることにある。即ち、地図を見る場合の視点が、全く異なっている。利用者にとっては、携帯端末のメモリの制約上、現在位置の地図までは表示できないが、目的位置から見てどの方位及び距離に現在位置が存在するかを知ることができる。
【００３８】
図３は、図２に対して目的位置を現在位置に近い位置に設定した場合の第１の表示地図である。
【００３９】
図３によれば、現在位置は、地域地図情報の領域内には存在しないが、目的位置から見て東北東に位置する。そこで、携帯端末は、現在位置に最も近い位置を目的位置として、その目的位置に基づく地域地図を表示する。図３によれば、目的位置が、現在位置に最も近い位置に変更され、53394536.svgの地図がディスプレイに表示される。
【００４０】
図３のような地図を表示することによって、利用者は、地域地図における最も近い位置の地図を見ることができる。即ち、利用者は、図３のような地域地図に近づくことを目的として行動することができる。
【００４１】
図４は、本発明における携帯端末の機能構成図である。
【００４２】
図４によれば、携帯端末１は、メモリ部１０１と、測位部１０２と、領域判定部１０３と、方位検出部１０４と、表示制御部１０５と、ディスプレイ部１０６と、携帯端末機能部１０７を有する。尚、携帯端末機能部１０７は、携帯端末における本発明の機能以外の一般的な機能を実現する。尚、領域判定部１０３、方位検出部１０４及び表示制御部１０５は、携帯端末１に搭載されたコンピュータを機能させるプログラムを実行することによっても実現できる。
【００４３】
メモリ部１０１は、地域地図情報を予め記憶する。このような地域地図情報は、例えば、通信機能によってサーバからダウンロードされるものであってもよい。携帯電話機のような携帯端末は、メモリの制約上、全ての地域の地図情報を蓄積することはできない。従って、地域地図情報とは、その携帯電話機の利用者の目的位置に基づいて必要となる一部の地図である。
【００４４】
測位部１０２は、携帯端末１の現在位置を測位する。例えば、ＧＰＳのような測位機能によって、現在位置の緯度経度を測位する。
【００４５】
領域判定部１０３は、現在位置が、地域地図情報の領域内又は領域外を判定する。予め蓄積されている地域地図情報の緯度経度範囲内に、現在位置が含まれているかどうかを判定する。
【００４６】
方位検出部１０４は、地域地図情報の目的位置から見た現在位置の方位を検出する。また、方位検出部１０４は、地域地図情報における目的位置と現在位置との間の距離を更に検出する。
【００４７】
表示制御部１０５は、現在位置は地域地図情報の領域外にあると判定された際、目的位置を含む地域地図情報をディスプレイに表示すると共に、現在位置の方位を表示する。また、表示制御部１０５は、地域地図情報における目的位置と現在位置との間の距離を更に表示する。
【００４８】
ここで、目的位置とは、利用者によって指定された位置であってもよいし、地域地図情報の中心、又は地域地図情報内で指定された別の位置であってよい。更に、地域地図情報の領域内で現在位置に最も近い位置であってもよい。この場合、携帯端末の現在位置から見て、最も近い位置の地域地図情報がディスプレイに表示される。
【００４９】
表示制御部１０５は、領域判定部１０３によって現在位置が地図情報の領域内にあると判定された際、地域地図情報における目的位置を含む地図情報に現在位置が含まれていない場合、現在位置を含む領域の地図情報を表示するように切り替えることができる。このとき、表示制御部１０５は、利用者に対して切り替えの有無を促す表示をし、その利用者の操作によって表示を切り替えることもできる。
【００５０】
図５は、予め蓄積された地域地図情報に対する現在位置を表す第２の表示地図である。
【００５１】
図５によれば、図１と比較して、携帯端末の現在位置が、その携帯端末に予め蓄積された地域地図に近づいてきている。従って、携帯端末に表示された地図に表示された、現在位置までの距離が１．２ｋｍと短くなっている。
【００５２】
図６は、予め蓄積された地域地図情報に対する現在位置を表す第３の表示地図である。
【００５３】
図６によれば、携帯端末の現在位置は、予め蓄積された地域地図情報の範囲に含まれている。但し、目的位置に基づく表示範囲には含まれていない。このような場合、現在位置が地域地図の領域内である旨が表示され、現在位置を表示する切り替え操作指示の表示もなされる。図６によれば、「０キーを押下」することによって、現在位置を含む地域地図の領域が表示される。これにより、利用者は、携帯端末に予め蓄積された地域地図情報の領域内に入ったことを知ることができる。また、利用者が「０キー」を押下することによって、現在位置を含む地域地図を表示することができる。このとき、現在位置の方位は、逆に、目的位置の方位を指し示すように動作する。
【００５４】
図７は、予め蓄積された地域地図情報に対する現在位置を表す第４の表示地図である。
【００５５】
図７によれば、携帯端末の現在位置は、予め蓄積された地域地図情報の範囲に含まれ、且つ、目的位置に基づく表示範囲にも含まれている。この場合、現在位置も、地域地図上に表示される。その後、現在位置の測位を継続し、移動に合わせて表示する地域地図を変更する。
【００５６】
図８は、予め蓄積された地域地図情報に対する現在位置を表す第５の表示地図である。
【００５７】
図８によれば、携帯端末の現在位置は、予め蓄積された地域地図情報の範囲外になっており、その地域地図から見て南西の方位に位置する。このとき、携帯端末は、再び、予め蓄積した地域地図における目的位置を中心とする地域地図を、ディスプレイに表示する。更に、その目的位置から見て、現在位置の方位と、現在位置までの距離と、現在位置が地図の領域外であることを表す情報と表示する。
【００５８】
他の実施形態として、携帯端末が、地域地図情報の範囲内から範囲外へと移動した場合、携帯端末の現在位置が、最後に地域地図情報内に表示されていた位置に基づく地域地図を、ディスプレイに表示することも好ましい。即ち、最後に表示された地域地図をそのまま保持する。
【００５９】
尚、他の実施形態として、携帯端末に蓄積された地域地図情報の中で、ディスプレイに表示する領域範囲は、様々な形で表示することができる。例えば、現在位置が地域地図領域外であった場合の初期表示領域は、例えば、中心の座標と領域の大きさにより指定することもできる。中心座標は、緯度経度又はＳＶＧ画像座標で指定することができる。領域の大きさは、例えば、内接円の半径で指定することができる。
【００６０】
ここで、携帯電話機のような携帯端末の場合、そのディスプレイの表示領域の縦横比は、端末によって異なる。この場合、内接円の大きさを指定する方法も有効である。中心座標を緯度（北緯が正）、経度（東経が正）、領域を内接円の半径で指定し、それぞれの値をカンマで区切っている。従って、中心が北緯39.691667度東経139.7度、半径500mの領域を示す。このような情報が記述されたデータを地図情報に含めることで、初期表示領域を指定することができる。
【００６１】
以上、詳細に説明したように、本発明の携帯端末及びプログラムによれば、予め蓄積された地域地図情報から見て、携帯端末の現在位置の方位（更に距離）が表示されるので、利用者は、その現在位置をおよそ知ることができる。特に、メモリの制約がある携帯電話機のような端末に、現在位置の地図を表示する場合に有効である。
【００６２】
地域地図情報としては、例えば、駅周辺における店舗情報を含む地域地図がある。このような地域地図は、その範囲においては極めて特有な情報を含むものの、その範囲は極めて限定されている。従って、このような地域地図の範囲に、現在位置が無い段階から、その地域地図に対して、その携帯端末がどの方位に位置し、どの程度の距離のところに位置しているのかを提供することは、簡単なナビゲーションシステムを提供するものである。即ち、一般的に、地図情報を表示する場合、現在位置から目的位置へ向かって地図を表示するのに対し、本発明の特徴は、目的位置から現在位置に向かって地図を表示しようとしていることにある。即ち、地図を見る場合の視点が、全く異なっている。
【００６３】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００６４】
【図１】分割地図画像である。
【図２】予め蓄積された地域地図情報に対する現在位置を表す第１の表示地図である。
【図３】図２に対して目的位置を現在位置に近い位置に設定した場合の第１の表示地図である。
【図４】本発明における携帯端末の機能構成図である。
【図５】予め蓄積された地域地図情報に対する現在位置を表す第２の表示地図である。
【図６】予め蓄積された地域地図情報に対する現在位置を表す第３の表示地図である。
【図７】予め蓄積された地域地図情報に対する現在位置を表す第４の表示地図である。
【図８】予め蓄積された地域地図情報に対する現在位置を表す第５の表示地図である。
【符号の説明】
【００６５】
１  携帯端末
１０１  メモリ部
１０２  測位部
１０３  領域判定部
１０４  方位検出部
１０５  表示制御部
１０６  ディスプレイ部
１０７  携帯端末機能部
【図１】
2008281941.tif 000003
【図２】
2008281941.tif 000004
【図３】
2008281941.tif 000005
【図４】
2008281941.tif 000006
【図５】
2008281941.tif 000007
【図６】
2008281941.tif 000008
【図７】
2008281941.tif 000009
【図８】
2008281941.tif 000010